(57)【要約】  折り機は、ジョウ胴（３０）と折り胴（１０）とを有し、折り胴は、第１の折丁（３２）の縁部を掴むためのグリッパ（１２）と、第１の折丁（３２）をジョウ胴（３０）に押し込むための押込みブレードとを有する。折り胴（１０）は、第２の折丁（３４）をジョウ胴（３０）に対して支持するための折丁支持体８２０）を有し、折丁支持体（２０）とグリッパ（１２）とは押込みブレードに関して自動的に一緒に可動である。引渡し胴、方法及び折丁支持体（２０）も提供される。
2009512611.tif 000002
【特許請求の範囲】
【請求項１】
ジョウ胴と、折り胴とを含み、該折り胴が、第１の折丁の縁部を掴むためのグリッパと、第１の折丁をジョウ胴に押し込むための押込みブレードとを有し、折り胴が、第２の折丁をジョウ胴に対して支持する折丁支持体を有し、折丁支持体とグリッパとが押込みブレードに関して自動的に一緒に可動であることを特徴とする、折り機。
【請求項２】
折り胴がグリッパ支持体を有し、グリッパと折丁支持体とがグリッパ支持体に支持されている、請求項１記載の折り機。
【請求項３】
折り胴が、長手方向に延びた複数のスロットを有する支持板を有し、グリッパが、折丁を掴むためにスロットを通過する、請求項１記載の折り機。
【請求項４】
折丁支持体が、スロットを通過する複数の可撓性のエレメントを有する、請求項３記載の折り機。
【請求項５】
可撓性のエレメントが剛性の金属を含みかつ一方の端部に圧縮可能なパッドを有する、請求項４記載の折り機。
【請求項６】
可撓性のエレメントが可撓性のフィンガ含む、請求項４記載の折り機。
【請求項７】
折丁支持体が、可撓性の材料から形成された可撓性のエレメントを含む、請求項１記載の折り機。
【請求項８】
可撓性の材料がばね鋼である、請求項７記載の折り機。
【請求項９】
折丁支持体が可撓性のフィンガを含む、請求項１記載の折り機。
【請求項１０】
折丁支持体が複数の可撓性のフィンガを含む、請求項１記載の折り機。
【請求項１１】
グリッパが折丁の前縁を掴み、折丁支持体が第２の折丁の後縁を支持する、請求項１記載の折り機。
【請求項１２】
第１の折丁の縁部を掴むためのグリッパと、
第２の折丁を引渡し胴から半径方向に離れるように強制するために第２の折丁に接触する折丁支持体とを含み、折丁支持体とグリッパとが自動的に一緒に可動であることを特徴とする、折丁のための引渡し胴。
【請求項１３】
折丁支持体を用いて第１の折丁の後縁を折り胴から離れるように強制し、
グリッパによって掴まれた第２の折丁をタッカを用いて第１の折り位置において押し込み、
第１の折り位置とは異なる第２の折り位置において別の折丁を押し込むためにモード変更を行い、該モード変更が、グリッパと折丁支持体とをタッカに関して自動的に移動させることを含むことを特徴とする、折丁を折り畳むための方法。
【請求項１４】
基部と、該基部を胴の半径方向内方の支持体に結合するための複数のコネクタと、基部に取り付けられた可撓性のエレメントとを含むことを特徴とする、折丁支持体。
【発明の詳細な説明】
【技術分野】
【０００１】
背景
本発明は印刷機のための折り機に関する。
【０００２】
米国特許第６８４３７６３号明細書には、支持板を有する折り胴を備えた折り機が記載されている。複数のグリッパが回転可能な基部に固定されている。胴は複数の押込みブレードをも有している。グリッパは、異なる折り長さの折丁を製造するために押込みブレードに関して回転可能である。グリッパは支持板におけるスロットを通って作動する。折丁の後縁はグリッパの直前で胴に整合し、グリッパは、後続の折丁の前縁に対して作動する。
【０００３】
例えばドッグイヤーを回避するために折丁の後縁を支持するために、発泡パッドが知られている。発泡パッドは例えば接着剤によって、グリッパの前方の胴の外周に取り付けられる。折り胴が異なる長さのために再構成されるならば、パッドは手作業で再位置決めされる。
【０００４】
米国特許第６０９３１３９号明細書及び米国特許第６５５１２２７号明細書は、裁断胴における折丁保持装置を示している。
【０００５】
発明の概要
本発明は、ジョウ胴と、折り胴とを含み、該折り胴が、第１の折丁の縁部を掴むためのグリッパと、第１の折丁をジョウ胴に押し込むための押込みブレードとを有しており、折り胴が、ジョウ胴に対して第２の折丁を支持する折丁支持体を有しており、この折丁支持体とグリッパとが押込みブレードに関して自動的に一緒に可動である、折り機を提供する。
【０００６】
折丁支持体の手作業による再調節なしにグリッパと折丁支持体とを一緒に移動させることによって、準備時間が短縮されることができる一方で、ドッグイヤー、及び折丁の自由な後縁に関連したあらゆるその他の問題が依然として回避される。
【０００７】
好適には、折り胴はグリッパ支持体を有しており、グリッパと折丁支持体とはグリッパ支持体に支持されている。グリッパ支持体は例えば押込みスパイダに関して回転可能なスパイダであることができる。
【０００８】
折り胴は、長手方向に延びた複数のスロットを有する支持板を有することができ、グリッパは、折丁を掴むためにスロットを通過する。折丁支持体は、スロットを通過する複数の可撓性のエレメントを有することができる。
【０００９】
エレメントは少なくとも折丁に接触するために可撓性であることができ、例えばエレメントは、可撓性の発泡パッドが取り付けられた剛性の金属フィンガであることができるか、又は全体的に、可撓性の材料、例えばばね鋼から形成されていることができる。
【００１０】
折り胴が支持板を有していない場合、折丁支持体は、例えば胴の幅に亘って横方向に延びた１つのエレメント、又は複数のエレメントであることができる。
【００１１】
グリッパは好適には前縁を掴み、折丁支持体は第２の折丁の後縁を支持する。
【００１２】
本発明は、第１の折丁の縁部を掴むためのグリッパを有する引渡し胴をも提供し、引渡し胴は、第２の折丁は引渡し胴から半径方向に離れるように強制するために第２の折丁に接触する折丁支持体を有しており、折丁支持体及びグリッパは自動的に一緒に可動である。
【００１３】
本発明は、折丁支持体を使用して第１の折丁の後縁を折り胴から離れるように強制し、第１の折り位置においてタッカを使用してグリッパによって保持された第２の折丁を押し込み、第１の折り位置とは異なる第２の折り位置において別の折丁を押込むためにモード変更を行い、モード変更がタッカに関してグリッパと折丁支持体とを自動的に移動させることを含む、方法をも提供する。
【００１４】
つまり、例えばデルタ折りから四つ折りへのモード変更は、折丁支持体が自動的に移動することによって行われることができる。
【００１５】
本発明は、基部と、基部を胴の半径方向内方の支持体に結合するための複数のコネクタと、基部に取り付けられた可撓性のエレメントとを有する折丁支持体をも提供する。
【００１６】
ここに定義されるグリッパは、縁部を取り囲むように折丁を掴むグリッパ、又は縁部を貫通するピンを含むことができる。ここでの折丁は、一枚のシート又は複数のシートを含むことができる。ここに列挙されたジョウ胴は、押し込まれた折丁を収容するためのあらゆる胴を含む。
【００１７】
図面の簡単な説明
本発明の好適な実施形態は図面を参照しながら説明される。
【００１８】
図１は本発明による折り胴の区分を示している。
【００１９】
図２は本発明による折り胴の外周区分を示している。
【００２０】
図３は本発明による折り機の区分を示している。
【００２１】
図４ａ及び図４ｂは本発明において使用される折丁支持体の２つの実施形態を示している。
【００２２】
好適な実施形態の詳細な説明
図１は、例えば米国特許第６８４３７６３号明細書に記載されたように、引渡し胴、ここではスロットが設けられた胴カバー１８を有する折り胴１０、を示している。グリッパ１２は、折丁をグリッパシート１４に対して掴むために例えばカムフォロアを介して作動可能である。グリッパ１２はグリッパ支持体１６に回転可能に支持されている。例えば、グリッパスパイダを形成するために、ハブを介して胴１０の周囲に周方向に間隔を置いて配置された４つのグリッパ支持体のうちの３つが存在することができる。
【００２３】
支持体１６には折丁支持体２０が固定されている。折丁支持体２０は、取付けバー２２と複数の支持フィンガ２４とを有している。ここに記載された好適な実施形態における各支持フィンガの端部には、回転方向Ｄにおいてグリッパ１２の前方で、スロットが設けられたカバー１８を貫通した発泡パッド２６が設けられている。この実施形態において、発泡パッド２６は、ニップを通過する折丁の後縁を、ジョウ胴と共に、半径方向の力Ｆによって圧縮及び束縛する。
【００２４】
取付けバーを支持体１６に固定するために、ねじ又はナット又は、好適には容易な固定のためのねじ山を備えた別の結合装置４０が使用されることができる。
【００２５】
図２は、グリッパ１２と、スロットが設けられたカバー１８のスロット２８を貫通した発泡パッド２６とを示している。
【００２６】
図３は、ジョウ胴３０が、折り胴１０から折り畳まれた折丁２３を受け取っている、本発明の折り機を示している。発泡パッド２６は、折丁３２をジョウ胴３０の外周３６に対して押し付け、折り胴１０の外周３８から押し離す。次いでグリッパ１２は、折り畳まれる次の折丁３４を供給する。
【００２７】
図４ａは折丁支持体２０を示している。取付けバー２２は、例えば、グリッパ支持体１６に支持体２０を固定するための結合装置４０のための、３つの穴４２，４４を有することができる。フィンガ２４は、鋼から形成され、不撓性であることができ、コネクタ４２を介してバー２２に取り付けられることができる。発泡パッド２６は例えば、フィンガ２４の概して平坦な領域５０に接着によって取り付けられることができ、この平坦な領域はフィンガ２４の傾斜したボディ部分５２に関して傾斜させられている。
【００２８】
図４ｂは、折丁支持体２０の択一的な実施形態、ここでは折丁支持体１２０を示している。フィンガ１２４は、デュアルコネクタ１４２を介して取り付けバー１２２に取り付けられており、ばね鋼か又は、フィンガの通過及び、ジョウ胴３０と折り胴１０との間のニップを介する適切な折丁支持を可能にするのに十分に可撓性のその他の材料から形成されている。
【図面の簡単な説明】
【００２９】
【図１】本発明による折り胴の区分を示している。
【図２】本発明による折り胴の外周区分を示している。
【図３】本発明による折り機の区分を示している。
【図４】本発明において使用される折丁支持体の２つの実施形態を示している。
【符号の説明】
【００３０】
１０  折り胴、  １２  グリッパ、  １４  グリッパシート、  １６  支持体、  １８  胴カバー、  ２０  折丁支持体、  ２２  取付けカバー、  ２３  折丁、  ２４  支持フィンガ、  ２６  発泡パッド、  ２８  スロット、  ３０  ジョウ胴、  ３４  折丁、  ３６，３８  外周、  ４０  結合装置、  ４２，４４  穴、  ５０  平坦な領域
【図１】
2009512611.tif 000003
【図２】
2009512611.tif 000004
【図３】
2009512611.tif 000005
【図４Ａ】
2009512611.tif 000006
【図４Ｂ】
2009512611.tif 000007
【国際調査報告】
2009512611.tif 000008